(57)【要約】【課題】陳列室の商品を見やすい冷蔵用のショーケースを提供する。【解決手段】透光性の前壁１１と、この前壁１１を通して見ることができる陳列室５と、陳列室５の外側に設けられ、陳列室の内部を照明するための蛍光灯５１と、外気を吸引して蛍光灯５１を冷却し、その排気５９を、前壁１１の外面７１に沿って流れるように放出するためのファン５２とを有するショーケース１０を提供する。さらに、ショーケース１０は、前壁１１の内面７２に沿って流れるように冷気３９を放出し、陳列室５の内部を冷却するための熱交換器３３およびファン３４を有する。【選択図】図３
2008093250.tif 000002
【特許請求の範囲】
【請求項１】
透光性の第１の壁と、
前記第１の壁を通して外側から内部を見ることができる陳列室と、
前記陳列室の外側に設けられ、前記陳列室の内部を照明する手段と、
外気を吸引して前記照明する手段を冷却し、その排気が前記第１の壁の外面の少なくとも一部に沿って流れるように放出する手段とを有するショーケース。
【請求項２】
請求項１において、
前記第１の壁の内側の少なくとも一部に沿って流れるように冷気を放出し、前記陳列室の内部を冷却する手段を、さらに有するショーケース。
【請求項３】
請求項２において、
前記第１の壁は、前記陳列室の前壁の少なくとも一部であり、
前記照明する手段は、前記陳列室の天井の前方、または前記前壁の上方に設けられ、
前記放出する手段は、排気を前記第１の壁の上方から下方に向かって放出し、
前記冷却する手段は、冷気を前記第１の壁の上方から下方に向かって放出する、ショーケース。
【請求項４】
請求項２において、
前記第１の壁は、前記陳列室の前壁および左右の側壁に含まれており、
前記照明する手段は、前記陳列室の天井の前方に設けられ、
前記放出する手段は、排気を前記第１の壁の上方から下方に向かって放出し、
前記冷却する手段は、冷気を前記第１の壁の上方から下方に向かって放出する、ショーケース。
【請求項５】
請求項２において、前記陳列室はドアにより開閉可能な密閉式である、ショーケース。
【発明の詳細な説明】
【技術分野】
【０００１】
本発明は、光透性の壁を有するショーケースに関するものである。
【背景技術】
【０００２】
特許文献１には、透明扉を有するショーケースが開示されている。このショーケースにおいては、保冷室内の上部に蒸発器を設け、蒸発器で熱交換された冷却空気を保冷室内の背面側から前面側を経由して循環させている。このため、透明扉のガラス板の裏面には、熱交換直後の冷たい空気が接触することがない。つまり、透明扉のガラス板の裏面には、冷蔵または冷凍食品に冷熱を奪われた後の比較的暖かい空気が接触することになるため、外気の温度及び湿度が高い環境下でも、ガラス板の表面側（外気）と裏面側（保冷室）との温度差を低減して、ガラス板の表面における結露を防止するようにしている。
【特許文献１】特開平１０−２５３２２９号公報
【発明の開示】
【発明が解決しようとする課題】
【０００３】
保冷室あるいは陳列室と称される空間は、商品を収納すると共に、顧客に商品を見せるために、より多くの面が透明あるいは透光性であることが要求される。そのような透明あるいは透光性の部分は、ガラス板、アクリルなどのプラスチック製の透光性の部材により形成される。このため、他の非透明な部分には発泡スチロールなどの断熱性の高い素材を使用できるのに対し、透明な部分は断熱性が低い。ガラス板などを２重あるいは多重に組み合わせて断熱性を向上させたとしても、非透明な部分に比較すると断熱性は低く、透明な部分からの熱侵入は大きい。
【０００４】
したがって、庫内を冷却している陳列室において、陳列室内の温度を一定に保つためには、熱侵入の大きな透明な部分を積極的に冷却し、庫内に熱が侵入するのをできるだけ防ぐことが望ましい。しかしながら、特許文献１に記載のショーケースにおいては、結露を防止するために、ガラス板の近傍に比較的暖かい空気を導いている。このため、庫内の断熱材に覆われた背面側は温度が下がりやすく、前面は温度が上がり易い状態になる。したがって、庫内の温度差は大きく、特に、顧客が商品を取り出す前面の側に配置された商品が冷え難いので、冷蔵あるいは冷凍食品を所望の条件で顧客に提供することが難しい。また、庫内前方に配置された冷蔵あるいは冷凍食品を十分に冷却しようとすると、庫内後方を、それ以上の条件に冷却する必要があり、エネルギー効率は低い。さらに、庫内前方の温度を下げようとすると、前面のガラス板は結露し易くなり、ショーケースの重要な要求である、顧客に商品を見せるという機能が低下してしまう。
【課題を解決するための手段】
【０００５】
本発明の一態様は、透光性の第１の壁と、第１の壁を通して外側から内部を見ることができる陳列室と、陳列室の外側に設けられ、陳列室の内部を照明する手段と、外気を吸引して照明する手段を冷却し、その排気が第１の壁の外面の少なくとも一部に沿って流れるように放出する手段とを有するショーケースである。このショーケースにおいては、陳列室を照明するための蛍光灯などの手段を陳列室の外側に配置することにより、陳列室を冷却する際に、照明による熱負荷を低減できる。さらに、外気により照明する手段を冷却することにより、照明する手段の温度上昇を低減し、熱伝達による熱負荷も低減できる。さらに、照明する手段を冷却することにより温度が上昇した排気を、透光性の第１の壁の外面の少なくとも一部に沿って流れるように放出する。排気は温度が上昇することにより相対湿度が低下し、乾燥している。したがって、排気を第１の壁の外面に沿って流すことにより、第１の壁が冷えた状態で外気に接する場合よりも、第１の壁の外面が結露することを抑制できる。
【０００６】
このため、このショーケースにおいては、第１の壁の内側の少なくとも一部に沿って流れるように冷気を放出し、陳列室の内部を冷却する手段を、さらに有することが望ましい。熱侵入の大きな透光性の第１の壁の内側を積極的に冷やすことにより、第１の壁の内側の温度が上昇することを抑制でき、陳列室内に温度差が発生することを抑制できる。第１の壁の外側は、比較的乾燥した空気を流しているので、第１の壁の内側を冷やしても第１の壁の外側は結露し難い。したがって、第１の壁の近傍に配置された商品を比較的容易に冷却（冷蔵または冷凍）できる。特に、第１の壁の側が顧客に対して商品を提供する側である場合は、庫内の第１の壁側を十分に冷却できるので、顧客に対して十分に冷えた、あるいは凍った状態の商品を提供できる。また、ショーケースの重要な要求である、顧客に商品を見せるという機能も良好に発揮できる。
【０００７】
第１の壁の典型的なものは、顧客に面する陳列室の前壁の少なくとも一部である。照明する手段は、陳列室の天井の前方、または前壁の上方に設けられ、放出する手段は、排気を第１の壁の上方から下方に向かって放出し、冷却する手段は、冷気を第１の壁の上方から下方に向かって放出することが望ましい。上方に設けられた照明する手段により、陳列室内の商品を上方、すなわち、ユーザが見る方向から照明できる。また、冷気は上方から下方に向かって放出することにより自然対流による循環を促進できる。この場合、第１の壁の内側上方が最も温度が低下しやすいが、第１の壁の外側上方には最も相対湿度の小さな排気が流れるので、結露を防止しやすい。
【０００８】
第１の壁は、陳列室の前壁のみならず、左右の側壁に含まれていても良い。このケースでは、照明する手段を、陳列室の天井の前方に設け、放出する手段は、排気を、左右の側壁に含まれる第１の壁の上方から下方に向かって放出し、冷却する手段は、冷気を第１の壁の上方から下方に向かって放出することが望ましい。壁面タイプのショーケースでは、前方が透光性であることが重要である。スタンドアロン、卓上型あるいはカウンタ搭載型のショーケースにおいては、顧客はショーケースの横から陳列室内の商品を見るケースも多い。したがって、左右の側壁の一部、特に、前方を透光性にし、天井に配置された照明する手段を冷やした排気を前壁のみならず左右の側壁の外面にも流すことにより、横方向からの視認性も良いショーケースを提供できる。
【０００９】
ショーケースの一形態は、陳列室はドアにより開閉可能な密閉式である。密閉式の陳列室の庫内温度は下がり易いので、店舗内の外気（店舗室内の空気）との温度差があり、結露し易い。これに対し、上述したように、蛍光灯などの照明する手段を冷却した排気を流すことにより、密閉式であっても、庫内の商品を見やすいショーケースを提供できる。ドアの典型的なものは、陳列室の後方に設けられているものである。後方から商品を出し入れし易い。また、陳列室の後方に加え、または後方とは別に、陳列室の前方を透光性のドアにすることにより、顧客が商品を自ら取り易いショーケースを提供できる。
【発明を実施するための最良の形態】
【００１０】
図１は、本発明の一実施形態のショーケースを前方から見た斜視図である。図２は、ショーケースを後方から見た斜視図である。さらに、図３は、ショーケースの内部の概略構成を示す断面図である。このショーケース１０は、全体として、上下に長く、上方が若干細くなった直方体である。ショーケース１０は、透光性の前壁１１と、前方１０ａが透光性の右側壁１２および左側壁１３とを備えている。前壁１１は、上方が後方１０ｂに傾斜した２重ガラスの壁である。右側壁１２および左側壁１３は前方１０ａが上方に狭くなるように傾斜した片台形であり、右側壁１２の前側１２ａおよび左側壁１３の前側１３ａは、２重ガラスである。右側壁１２の後側１２ｂおよび左側壁１３の後側１３ｂは非透光性のフレームである。
【００１１】
ショーケース１０は、さらに、前壁１１および左右の側壁１２および１３を支持するベース部２０と、前壁１１および左右の側壁１２および１３の上に設けられたルーフ部３０と、前壁１１、左右の側壁１２および１３、ベース部２０およびルーフ部３０に囲われた陳列室５に後方からアクセスするための開閉可能なドア１５とを有する。陳列室５には、上下に陳列棚６ａおよび６ｂが配置されている。
【００１２】
ドア１５は、図２および図３に示すように、上下２段の横に細長いスリット状の２重ガラスまたはアクリル製の窓１６ａおよび１６ｂを除き、発泡スチロールなどの断熱材１５ａにより陳列室５を外界から遮断できる構造となっている。スリット状の窓１６ａおよび１６ｂは、陳列室５の陳列棚６ａおよび６ｂにそれぞれ対応した位置に設けられている。このため、窓１６ａおよび１６ｂを通して、陳列室５に並べられた商品の状況を見ることができる。このドア１５は、スイング式であり、ハンドル１５ｈを持って旋回することにより、陳列室５の後方を開放できる。
【００１３】
ベース部２０は、平断面がほぼ四角形の機械室２９を含む。この機械室２９は、陳列室５の下方に位置し、陳列室５とは断熱性の床壁７により隔てられている。図４に、機械室２９の内部の平面的な配置を示している。機械室２９には、液冷媒方式のペルチェユニット４０と、ペルチェユニット４０の放熱側の液冷媒を循環するための第１のポンプ２１と、ペルチェユニット４０の吸熱側の液冷媒を循環するための第２のポンプ２２と、放熱側の熱交換器２３と、機械室２９を換気するための換気ファン２４ａおよび２４ｂと、電源基板２５ａおよび２５ｂと、制御基板２６とが配置されている。
【００１４】
放熱側の熱交換器２３は、液冷媒、本例では水が通過するチューブを備えたラジエータタイプの熱交換器であり、ベース部２０の周面を構成する壁の一部に沿ってＬ字型に配置されている。ベース部２０の前壁および右側壁のうち、熱交換器２３に面する部分には、グリル状の開口２７が形成されている。換気ファン２４ａおよび２４ｂが動くと、外気が機械室２９の前方および右側から機械室２９の内部に吸込まれ、熱交換器２３を流れる水を冷却する。さらに、機械室２９に吸い込まれた外気は、機械室２９の内部を換気し、機械室２９の後方から排出される。
【００１５】
この機械室２９に構成された冷却サイクルは、液冷媒方式のペルチェユニットを用いたサイクルである。コンプレッサーにより気化した冷媒を循環する冷却サイクルを採用しても良い。このショーケース１０においては、コンプレッサーに対して、コンパクトな液冷媒方式のペルチェユニット４０を採用することにより、機械室２９の高さを低くしている。
【００１６】
液冷媒の典型的なものは、水またはブライン（不凍液）であり、このショーケース１０においては水を液冷媒として採用している。液冷媒方式のペルチェユニット４０は、ペルチェ素子４５を含み、第１のポンプ２１により循環される放熱側の液冷媒とペルチェ素子の放熱側のヒートシンク４１とが熱交換する。また、第２のポンプ２２により循環される吸熱側の液冷媒と吸熱側のヒートシンク４２とが熱交換する。熱容量の大きな液冷媒と熱交換することにより、放熱側および吸熱側のヒートシンクは小さくなり、液冷媒方式のペルチェユニット４０は、コンパクトで冷却能力が高い。
【００１７】
さらに、液冷媒方式のペルチェユニット４０は、放熱側および吸熱側の熱交換器を分離できるので、熱交換器の配置の自由度が高まる。本例のショーケース１０においては、放熱側の熱交換器２３を機械室２９に配置し、吸熱側の熱交換器３３をルーフ部３０に配置している。さらに、液冷媒である水を循環するためのパイプ６１および６２を側壁のフレーム１２ｂに配置して、ペルチェユニット４０とルーフの熱交換器３３とを接続している。
【００１８】
図５に、ルーフ部３０の内部の平面的な配置を示している。図３に示すように、ルーフ部３０は、陳列室５に面した天井パネル（天井面）３１と、屋根を構成する断熱素材を含む上壁３２と、天井パネル３１および上壁３２との間の空間に、天井パネル３１の一部に沿うように配置された吸熱側の熱交換器３３とを含む。さらに、熱交換器３３の後方には、冷気を循環させるためのクロスフロータイプの循環ファン３４が配置されている。陳列室５の内部の空気は、循環ファン３４によって熱交換器３３の後方から吸い込まれ、熱交換器３３に供給されて冷却され、陳列室５の前方の吹出し口３８から冷気３９として、前壁１１の内面７２に沿って下側に向かって吹き出される。
【００１９】
吸熱側の熱交換器３３も、液冷媒、本例では水が通過するチューブを備えたラジエータタイプの熱交換器である。熱交換器３３を天井面（天井パネル）３１に沿うように平面的に配置することにより、設置スペースを薄くできる。熱交換器３３に面した天井パネル３１は、熱交換器３３において発生するドレン（凝固水）を回収するためのドレンパンを兼ねており、ドレン管６３を通して、陳列室５の床に配置されたトレイ８に回収される。
【００２０】
ルーフ部３０の前方には、ガラスまたはプラスチック製の透光性の２重構造の窓３５を介して陳列室５に面した照明５１と、この照明５１を冷却するためのクロスフロータイプの冷却ファン５２が配置されている。このショーケース１０においては、照明には市販されている蛍光灯が採用されている。図２に示すように、ルーフ部３０の蛍光灯５１の上面に当たる部分は、冷却用の外気を吸入するための開口（グリル）５３になっている。冷却ファン５２は、蛍光灯５１の前方に配置されており、開口５３から外気を吸い込んで蛍光灯５１を冷却し、その排気５９を、ルーフ部３０の前方の、前壁１１の前側上方に設けられた排気口５４から前壁１１の前面に沿って排気する。ルーフ部３０の前方の排気口５４の上方は、Ｃ字状に左右の側壁１２および１３の上方に延びたチェンバーまたはダクト５５になっており、左右の側壁１２および１３の上方外側に設けられた排気口５６に接続されている。したがって、冷却ファン５２に吸い込まれて、蛍光灯５１を冷却し、加熱された排気５９は、さらに、左右の側壁１２および１３の上方からそれぞれの側壁１２および１３の表面に沿って出力される。
【００２１】
照明の光源である蛍光灯５１は、発熱源でもある。したがって、陳列室５の内部を冷却する冷蔵用ショーケース１０においては、蛍光灯５１と陳列室５とは熱的に遮断することが望ましい。しかしながら、遮光性の断熱材を蛍光灯５１と陳列室５との間に設置することはできない。このため、このショーケース１０においては、蛍光灯５１を外気により強制的に冷却する。さらに、蛍光灯５１の下方を２重構造の窓３５により断熱し、また、陳列室５の前方に配置される窓３５の下方に向かって冷気３９を吹き出すことにより、蛍光灯５１からの熱により陳列室５に収納された商品（被冷蔵物）の品温が上昇するのを防止している。また、２重構造の窓３５の下側の部材３５ａは、下に凸に湾曲した形状とし、蛍光灯５１の光と熱とが、陳列室５の内部に分散して放出されるようにしている。
【００２２】
また、蛍光灯５１を冷却した外気（排気）５９は、ファン５２により、前壁１１の前面、側壁１２および１３の表面（外面）に向けて排出され、これらの面７１が結露することを防止する。陳列室５の内部は、１０℃以下程度に冷却される。このため、前壁１１、側壁１２および１３がガラス板またはプラスチック板の二重構造になっていても、前壁１１の前面および側壁１２および１３の表面の温度が下がり、相対湿度が上がって結露し易い状態となる。蛍光灯５１を冷却した排気５９は、蛍光灯５１の熱により加熱されているので、相対湿度が低い。したがって、排気５９により、前壁１１の前面および側壁１２および１３の表面（外面）７１に沿って、上から下に流れる気流を生成することにより、前壁１１および側壁１２および１３の外面７１の近傍の相対湿度が上昇して結露する条件になるのを未然に防止できる。前壁１１は、陳列室５の内部に展示された商品を顧客に見せるために透明であることが望ましく、前壁１１の外面７１に吹出される排気５９の量を十分に確保することが望ましい。
【００２３】
陳列室５の内部においては、循環ファン３４により吸い込まれ、天井３１の冷却用の熱交換器３３により冷却された冷気（冷風）３９が、前壁１１の内面７２、および左右の側壁の透光性の部分１２ａおよび１２ｂの内面７２に向けて放出される。このため、壁１１〜１３の内面７２に沿って、冷気３９が上から下に流れる。これらの壁１１〜１３の透光性の部分は、ガラス板の２重構造になっているが、略全体が発泡スチロールからなるドア１５や、床壁７さらには天井壁３２に比較すると断熱性は小さい。したがって、透光性の壁１１〜１３を介して外部（店舗内）からの熱が陳列室５に侵入し、陳列室５の温度が上昇する要因となる。このショーケース１０においては、これらの透光性の壁１１〜１３の内面７２に沿って、熱交換器３３から出力された温度の低い冷気３９を流す。このため、透光性の壁１１〜１３の内面７２の近傍の温度が上昇するのを防止できる。したがって、陳列室５の内部の温度分布を小さくすることができ、透光性の壁１１〜１３の近傍に並べられた商品の品温が上昇するのを防止でき、または、壁１１〜１３の近傍の商品をより積極的に冷却できる。
【００２４】
一方、透光性の壁１１〜１３の内面７２に沿って冷気３９を流し、これら透光性の壁の近傍を積極的に冷却しようとすると、これらの壁１１〜１３の温度が低下する。これらの壁１１〜１３の断熱性能は低いので、壁１１〜１３の外面７１の温度が低下し、外面７１に結露が発生しやすい。しかしながら、このショーケース１０においては、蛍光灯５１により加温され、相対的に低湿度の空気（排気）５９が、これらの壁１１〜１３の外面７１を流れているので、結露は発生し難い。したがって、これらの透光性の壁１１〜１３を通して、陳列室５に陳列された商品が見やすく、さらに、陳列室５の内部をいっそう均等に冷やすことができるショーケース１０を提供できる。
【００２５】
陳列室５の内部の商品には、外側から顧客が商品を見たときに、商品が影などにより暗く見えないように、上方から照明光を当てることが望ましい。したがって、蛍光灯５１を冷却した排気５９は、壁１１〜１３の外面７１を上から下に流すことが望ましく、吹出された直後の、壁の上方の排気５９の方が乾燥している。一方、陳列室５の内部を冷却するための冷気３９は、より温度の低い冷気３９を、上方（天井側）から供給する方が、陳列室５の内部において冷気３９を循環し易い。このため、壁１１〜１３、特に壁１１の内面７２の上方に、より温度の低い冷気３９が当たり、壁１１の上方の温度が下がり易い。このように、陳列室５を照明するための蛍光灯５１の排気５９と、陳列室５の内部を冷却するための冷気３９とは、上方から下方に流すことが好ましい。そして、温度の下がり易い壁１１〜１３の上方は結露し難い環境になる。したがって、排気５９および冷気３９の気流を、壁１１〜１３の上から下に形成することにより、冷気３９の循環も確保し易く、それにより壁１１〜１３が結露することを防止でき、陳列室５の内部の商品が見やすいショーケースを提供できる。
【００２６】
このショーケース１０においては、ルーフ部３０に照明用の蛍光灯５１が配置されているが、前壁１１の上方に照明用の蛍光灯を配置しても良い。側壁１２および１３の上方に蛍光灯を配置しても良い。また、照明は、蛍光灯に限らず、ＬＥＤ、ネオン管などであっても良い。ＬＥＤであっても高出力のものは発熱量が大きい。したがって、ＬＥＤを照明する手段として採用する場合も、ＬＥＤを冷却することが望ましく、その排熱を上記と同様に利用することができる。
【００２７】
照明を冷却し、排気を、例えば、前壁１１の外面７１に吹き出すためのファン５２は、照明５１の下流に設置される吸込み（排出）タイプであっても、照明５１の上流に設置される押し込みタイプであっても良い。さらには、照明５１を冷却するための外気の吸い込み口５３は、ルーフ部３０の上面に限らず、ルーフ部３０の後方の面に配置することも可能である。
【００２８】
また、ショーケースは卓上のスタンドアロンタイプに限定されない。前壁１１および側壁１２および１３は、いずれか１つが、あるいは全てが開閉可能なドアであっても良い。典型的なものは、壁面に並んだり、通路に沿って並んだショーケースであって、前面が透明なガラス製またはプラスチック製のドアになっているものである。照明と冷却用のファンは、開閉可能な透明なドアの上部に配置することによりドアと共に移動できる。ドアと共に照明およびファンを移動することにより、ドアが開いているときでも、透明なドアの外側に乾いた空気の流れを作って結露を防止できる。照明および／またはファンは、ドアと共に動かないものであっても良い。透明なドアの外面が最も冷えるのは、ドアが閉じて冷気がドアに当たる状態になった後である。したがって、ドアが閉じたときだけ、透明なドアの外側に沿って、照明を冷却した排気が供給される方式でも、ドアの外側の結露を防止できる。
【００２９】
また、透明なドアの外側に照明を冷却した排気を導いて結露を防ぐことにより、その透明なドアの内側に冷気を供給できる。したがって、ドアの近傍に配置された商品を冷却し易い。このため、顧客は、前方あるいは左右のドアを開け、ドアの近くの、所定の条件となるように良好に冷却された商品を購入できる。
【００３０】
このショーケース１０は、後方のドア１５を閉じることにより陳列室５を密封できるタイプのクローズド型のショーケースである。したがって、陳列室５の内部に、冷蔵さらには冷凍された商品を展示するのに適しているショーケースである。そして、庫内の温度が非常に低くなるショーケースであると、透光性の窓は結露して商品を見難くなるが、このショーケース１０では、庫内の温度を下げても、窓が結露する可能性が小さく、商品の視認性（窓の透明性）が良好である。このため、特に低温貯蔵を要求される商品の展示販売に適している。
【００３１】
また、オープンタイプのショーケース、例えば、後方のドアがないタイプのショーケースであっても、上記のショーケース１０と同様に、前壁の外面に上方から照明器具を冷却した排気を流すことにより、顧客に面した部分が結露するのを抑制できる。
【図面の簡単な説明】
【００３２】
【図１】ショーケースを前方から見た斜視図である。
【図２】ショーケースを後方から見た斜視図である。
【図３】ショーケースの内部構造を示す断面図である。
【図４】ベース部の機械室の配置を示す断面図である。
【図５】ルーフ部の配置を示す断面図である。
【符号の説明】
【００３３】
５  陳列室、  ８  トレイ、  １０  ショーケース
１１  前壁、  １２  右側壁、  １３  左側壁、  １５  後方のドア
２０  ベース部、  ２１、２２  ポンプ、  ２３  排熱側の熱交換器、  ２９  機械室
３０  ルーフ部、  ３１  天井プレート、  ３３  吸熱側（冷却側）の熱交換器
３４  循環用のファン、  ３９  冷気、  ４０  液冷媒方式のペルチェユニット
５１  照明（蛍光灯）、  ５２  冷却用のファン、  ５９  照明を冷却した後の排気
７１  透光性の壁の外面、  ７２  透光性の壁の内面
【図１】
2008093250.tif 000003
【図２】
2008093250.tif 000004
【図３】
2008093250.tif 000005
【図４】
2008093250.tif 000006
【図５】
2008093250.tif 000007